(57)【要約】 【課題】  コンクリートの誤納を確実に防止することができるミキサ車を提供する。【解決手段】ミキサ車（ＡＭ）に表示装置（８）を設ける。この表示装置（８）には、少なくともコンクリートを打設する打設現場に関する納入先情報（２１、２２）が表示されるようにし、車外から視認できるようにする。この納入先情報には、施工会社社名（２１）と、打設現場の工事名（２２）とが含まれる。また表示装置（８）には、ドラム（１）に積載されているコンクリートの性能に関する性能情報（２４）や、コンクリートを製造したバッチャープラントの工場名（２５）も表示されるようにする。【選択図】 図１
2012196978.tif 000002
【特許請求の範囲】
【請求項１】
表示装置が設けられ、該表示装置には、コンクリートを打設する打設現場に関する納入先情報が表示されて、車外から視認できるようになっていることを特徴とするミキサ車。
【請求項２】
請求項１に記載のミキサ車において、前記納入先情報は、施工会社の会社名と、打設現場の工事名とを含むことを特徴とするミキサ車。
【請求項３】
請求項１または２に記載のミキサ車において、前記表示装置には、前記ミキサ車のドラムに積載されているコンクリートの性能に関する性能情報も表示されるようになっていることを特徴とするミキサ車。
【請求項４】
請求項１〜３のいずれかの項に記載のミキサ車において、前記表示装置には、コンクリートを製造したバッチャープラントの工場名も表示されるようになっていることを特徴とするミキサ車。
【請求項５】
請求項１〜４のいずれかの項に記載のミキサ車において、前記ミキサ車は、座席数が運転席の１座席のみからなり、前記表示装置はキャビン内の前記運転席の隣に設けられていることを特徴とするミキサ車。
【発明の詳細な説明】
【技術分野】
【０００１】
本発明は、コンクリートを運搬するミキサ車に関するものであり、自走式の自動車と、該自動車のシャーシ上に搭載されているドラムとからなり、バッチャープラントにおいて製造されたコンクリートを積載して、コンクリート打設現場まで輸送するミキサ車に関するものである。
【背景技術】
【０００２】
施工現場で打設されるコンクリートは、いわゆるバッチャープラントにおいて製造され、ミキサ車によって搬送される。バッチャープラントは、従来周知のように、コンクリート混練用の専用のミキサを備えており、その上方に砂利計量機、砂計量機、セメント計量機等からなる計量機と、混練水供給装置が設けられている。従って砂利貯蔵ビン、砂貯蔵ビン、セメント貯蔵ビン等から、これらの計量機に砂利、砂、セメントを供給して計量し、所定の混和剤が注入された混練水と共にミキサに投入する。ミキサを駆動して混練するとコンクリートを製造することができる。ところでこのようなミキサ、計量機、および混練水供給装置は所定のコントローラから制御されるようになっており、管理用コンピュータからの指令、例えば製造するコンクリートの種類、量等の指定データを含む指令に基づいて、所定の種類、量のコンクリートを自動的に製造できるようになっている。
【０００３】
ミキサ車は、従来周知のようにアジテータトラックとも呼ばれ、自走式の自動車と、そのシャーシ上に搭載されているドラムとから構成されている。ドラムは、内部に螺旋形のブレードが設けられており、油圧モータにより正逆両方向に回転駆動されるようになっている。バッチャープラントにおいて製造されたコンクリートを、ドラムの一方の端部近傍に設けられているホッパからドラム内に投入し、施工現場まで輸送する。このときドラムを正回転する。そうするとコンクリートはドラム内のブレードによって混練されて品質の劣化が防止される。施工現場においてはドラムを逆回転する。そうするとブレードによってコンクリートがドラムの端部まで送られ、そして外部に排出され、ドラム近傍に設けられている排出用のシュートを介してコンクリートを荷下ろしすることができる。
【先行技術文献】
【特許文献】
【０００４】
【特許文献１】実開平０６−７０５０号公報
【０００５】
本発明の直接的な先行文献ではないが、特許文献１にはドラムに積載しているコンクリートのスランプ値を確認することができるスランプ値測定装置を備えたミキサ車が記載されている。特許文献１に記載のスランプ値測定装置においては、ドラムを回転駆動するときの油圧を検出してドラムの回転負荷を測定することがができるようになっている。回転負荷は、コンクリートの粘性、すなわちスランプ値と、コンクリートの量とに相関しているので、ドラムに積載されているコンクリートの量を入力するとコンクリートの実際のスランプ値を演算できる。このスランプ値は、ミキサ車に搭載されている所定の表示装置に表示されるようになっており、ミキサ車の運転手あるいは操作者は積載されているコンクリートのスランプ値を容易に確認することができる。
【発明の概要】
【発明が解決しようとする課題】
【０００６】
従来のミキサ車によっても、生コンクリートを打設現場まで所定の品質を保った状態で輸送することができる。また特許文献１に記載のミキサ車もスランプ値を測定して表示できるので、コンクリートの品質を管理することができ便利である。従ってコンクリートの輸送自体、あるいはコンクリートの品質の管理に関しては格別に問題はない。しかしながら施工現場における誤納の問題に対しては考慮されていない。この誤納の問題について説明する。
【０００７】
コンクリートを打設する施工現場においては、対象となる建造物の種類や規模、施工条件等によって要求されるコンクリートの性能が変わる。具体的には、硬化時の圧縮強度、スランプ値等の性能、場合によっては骨材の粒径等の条件が変わる。これらの必要なコンクリート性能と、量とが指定されて、工事を施工する施工会社からバッチャープラントにコンクリートが発注される。そうするとバッチャープラントにおいて指定された条件に従ってコンクリートを製造し、必要な台数のミキサ車に分散してコンクリートを積載し、施工現場まで輸送する。ところで、建設現場によっては複数箇所の施工現場がある場合がある。例えばショッピングモールの建設現場、テーマパークの建設現場等をあげることができる。このような建設現場では、異なる建造物が並行して建設されており、複数箇所の施工現場において、それぞれ異なる種類のコンクリートが打設されている。各打設現場においては、要求されるコンクリートの性能が異なるので、それぞれの打設現場に応じてコンクリートの種類が指定されて、コンクリートが発注されることになる。このような建設現場においては発注されるバッチャープラントの数も複数になることが多いので、複数のバッチャープラントから、色々な種類のコンクリートを積載した多数のミキサ車が建設現場に到着することになる。ミキサ車の運転手は、コンクリートを正しい打設現場に荷下ろしできるように、バッチャープラント名、納入する建設会社名、打設現場の工事名、コンクリートの種類、量等が記載された伝票を所持している。また建設現場には、ミキサ車を誘導する誘導員が配置されており、ミキサ車を所定の打設現場まで誘導している。従ってコンクリートは予定された打設現場に間違いなく荷下ろしされるはずである。しかしながら実際には、ミキサ車の台数が多くて忙しい時に誤納ミスが発生し易い。誘導員がミキサ車の外見だけを見て判断し、誤って誘導してしまうことがあるからである。また伝票は、記載内容が多くて読みにくいし、取り出して受入担当者に提示する必要があり煩雑であるので、受入担当者が十分に対応できず確認が不十分になる場合もあるからである。コンクリートが誤納されてしまっても、要求されている性能よりも高い性能のコンクリートが打設される場合には問題は比較的小さい。しかしながら要求されている性能よりも低い性能のコンクリートが打設されてしまうと重大な問題が生じる。必要な強度が得られないので、工事のやり直しをせざるを得ないからである。このようにコンクリートの誤納は重大な問題につながることが多いが、従来のミキサ車、あるいは特許文献１に記載のミキサ車にはこのような誤納防止に関して格別に考慮されていない。
【０００８】
したがって本発明は、ミキサ車の運転手だけでなく、建設現場の誘導員やコンクリート受入担当者が、積載されているコンクリートの荷下ろし先、コンクリートの性能等について容易に確認することができ、それによって誤納を確実に防止することができるミキサ車を提供することを目的としている。
【課題を解決するための手段】
【０００９】
本発明は上記目的を達成するために、表示装置を備えたミキサ車として構成する。この表示装置には、少なくともコンクリートを打設する打設現場に関する納入先情報が表示されるようにし、車外から視認できるようにする。この納入先情報には、施工会社の会社名と、打設現場の工事名とが含まれる。また表示装置には、ミキサ車のドラムに積載されているコンクリートの性能に関する性能情報や、コンクリートを製造したバッチャープラントの工場名も表示されるようにする。
【００１０】
すなわち、請求項１に記載の発明は前記目的を達成するために、表示装置が設けられ、該表示装置には、コンクリートを打設する打設現場に関する納入先情報が表示されて、車外から視認できるようになっていることを特徴とするミキサ車として構成される。
請求項２に記載の発明は、請求項１に記載のミキサ車において、前記納入先情報は、施工会社の会社名と、打設現場の工事名とを含むように構成される。
請求項３に記載の発明は、請求項１または２に記載のミキサ車において、前記表示装置には、前記ミキサ車のドラムに積載されているコンクリートの性能に関する性能情報も表示されるように構成される。
請求項４に記載の発明は、請求項１〜３のいずれかの項に記載のミキサ車において、前記表示装置には、コンクリートを製造したバッチャープラントの工場名も表示されるように構成される。
請求項５に記載の発明は、請求項１〜４のいずれかの項に記載のミキサ車において、前記ミキサ車は、座席数が運転席の１座席のみからなり、前記表示装置はキャビン内の前記運転席の隣に設けられるように構成される。
【発明の効果】
【００１１】
以上のように本発明によると、ミキサ車には、表示装置が設けられ、該表示装置には、コンクリートを打設する打設現場に関する納入先情報が表示されて、車外から視認できるようになっているので、建設現場において、ミキサ車を誘導する誘導員やコンクリートを受け入れる受入担当者が、積載されているコンクリートの荷下ろし先を容易に確認することができる。そしてこの確認においては、格別に伝票を取り出して提示する必要がないし、表示装置を一瞥するだけで簡単に確認できるので、忙しい時においても誘導員や受入担当者の負担にはならない。従って誘導員は誤ることなくミキサ車を誘導でき、受入担当者も誤ることなくコンクリートを受け入れることができる。これによってコンクリートの誤納を確実に防止することができる。他の発明によると、納入先情報は、施工会社の会社名と、打設現場の工事名とを含むので、施工会社すなわち建設会社が複数の打設現場を担当していても、打設現場を混同することがない。また他の発明によると、表示装置には、ミキサ車のドラムに積載されているコンクリートの性能に関する性能情報も表示されるので、さらに確実に誤納を防止でき安全性が高い。また他の発明によると、ミキサ車は、座席数が運転席の１座席のみからなり、表示装置はキャビン内の運転席の隣に設けられているので、表示装置は運転の妨げにならないし、車外に露出していないので劣化し難い。さらには運転手自身も、積載しているコンクリートの情報を確認することができるので安全である。
【図面の簡単な説明】
【００１２】
【図１】本発明の実施の形態に係るミキサ車を模式的に示す斜視図である。
【図２】本発明の実施の形態に係る表示装置を示すブロック図である。
【図３】本発明の実施の形態に係る表示装置を示す正面図である。
【発明を実施するための形態】
【００１３】
以下、本発明の実施の形態を説明する。本実施の形態に係るミキサ車ＡＭも、図１に示されているように、外観形状は従来のミキサ車と同様に構成されている。すなわち、エンジンにより自走する自動車Ａ、この自動車Ａに搭載されているドラム１とからなっている。ドラム１は、回転駆動装置２によって正方向と逆方向とに回転駆動できるようになっており、ドラム１の後端部にはホッパ３とシュートとが設けられているが、図１にはシュートは示されていない。従って本実施の形態に係るミキサ車ＡＭも、バッチャープラントにおいて製造されたコンクリートをホッパ３から投入してドラム１内に積載することができ、ドラム１を正方向に回転させて所定の打設現場に輸送後、ドラム１を逆方向に回転するとシュートを介してコンクリートを荷下ろしできるようになっている。
【００１４】
本実施の形態に係るミキサ車ＡＭは、一人乗り用として構成されている。すなわち自動車Ａのキャビン５内には、座席は運転席６の１座席しか設けられていない。そして、二人乗り用のミキサ車において助手席が設けられている位置に、本実施の形態に係る表示装置８が設けられている。図１には表示装置８を構成しているディスプレイ９が示されている。本実施の形態においては、ディスプレイ９はキャビン５内に設けられている２本の支柱１０、１０に固定されており、運転席６よりも若干後方寄りに位置している。従って運転手の視界はディスプレイ９によって遮られることがなく運転に支障を来さない。またディスプレイ９は、上部寄りに位置している。従って、ミキサ車ＡＭの前方からミキサ車ＡＭを見ると、フロントガラス１２越しにディスプレイ９全体が見られるようになっている。本実施の形態においては、ディスプレイ９はＬＥＤ式表示器から構成されており、ディスプレイ９に表示されている文字がくっきりと読み取れるようになっている。
【００１５】
本実施の形態に係る表示装置８は、図２に示されているように、ディスプレイ９と、このディスプレイ９を制御する制御部１３と、入力部１４とから構成されている。後で説明するように、ディスプレイ９には打設現場に関する納入先情報、コンクリートの性能に関する性能情報等が表示されるようになっており、入力部１４はこれらの表示に必要な情報を制御部１３に入力する手段となっている。入力部１４は、色々な構成を採ることができ、例えば、任意の文字入力が可能な汎用的なキーボード１６から構成することもできるし、テンキーと数個のボタンのみからなる専用の操作盤１７から、あるいは外部から入力を受け付けるＬＡＮ入力部１９から構成することもできる。入力部１４がキーボード１６から構成されている場合、納入先情報、性能情報等は直接キーボード１６から入力するようにする。入力部１４が専用の操作盤１７から構成されている場合、簡単なコードによって入力する方法を採ることができる。この場合、入力される可能性のある全ての打設現場に関する納入先情報と、色々な種類のコンクリートに関する性能情報は、所定のコードと共に予め制御部１３内のメモリに保存しておく。このようにすると操作盤１７からコードを入力するだけで、納入先情報、性能情報を入力したことになる。また入力部１４がＬＡＮ入力部１９から構成されている場合、外部のコンピュータからデータを入力する方法を採ることができる。バッチャープラント内には、製造するコンクリートの情報を管理する管理用コンピュータ１８が設置されている。管理用コンピュータ１８には、納入先情報、性能情報等の色々な情報が管理されており、この管理用コンピュータ１８が接続されているＬＡＮに、ＬＡＮ入力部１９を接続すると、各種情報を自動的に取り込むことができる。情報が入力されたら、ＬＡＮからＬＡＮ入力部１９を切断する。
【００１６】
本実施の形態においては、表示装置８のディスプレイ９に、図３に示されているような内容が表示される。具体的には次のデータが表示される。
○  施工会社社名２１、あるいは略称
工事を施工する施工会社の社名あるいは略称。
○  工事名２２
コンクリートを打設する打設現場に関する工事の名称。
○  ミキサ車連番２３
複数台のミキサ車によってコンクリートを輸送する場合におけるミキサ車の連番。必要に応じてミキサ車の総台数も表示することができ、例えば総台数が４５台で、当該ミキサ車が２１番目であれば「Ｎｏ．２１／４５」と表示するようにすればよい。
○  コンクリートの性能情報２４
コンクリートの強度すなわち圧縮応力と、スランプ値が表示される。必要に応じて骨材の粒径も表示される。図３の例「３０−１８−２０」は、強度が３０Ｎ／ｍｍ２、スランプ値が１８ｃｍ、骨材の粒径が２０ｍｍであることを示している。
○  バッチャープラント名２５
コンクリートを製造したバッチャープラントの工場名。
【００１７】
本実施の形態に係るミキサ車ＡＭにおいては、バッチャープラントにおいて製造したコンクリートをドラム１に積載するとき、積載の前後の適当なタイミングで表示装置８の入力部１４から製造されたコンクリートに関する各種情報、すなわち納入先情報、性能情報等を入力する。そして、これらのデータを図３に示されているようにディスプレイ９に表示させて、ミキサ車ＡＭを走行させる。建設現場の誘導員や、コンクリートの受入担当者は、ディスプレイ９に表示されているデータを確認して、ミキサ車ＡＭを正しく誘導し、そしてコンクリートを受け入れる。従ってコンクリートの誤納を確実に防ぐことができる。
【００１８】
本実施の形態に係るミキサ車ＡＭは、上記実施の形態に限定されることなく色々な形で実施できる。例えば表示装置８は、一人乗り用のミキサ車ＡＭに設けられているように説明したが、二人乗り用のミキサ車ＡＭにも、当然に設けることができる。また表示装置８は、キャビン５内に設けられているように説明したが、キャビン５外に設置されていてもよい。具体的にはキャビン５の上に設けることもできるし、ミキサ車ＡＭの側部に設けるようにしてもよい。またディスプレイ９は１個だけから構成されているように説明したが、複数個から構成してもよい。そうするとキャビン５内に１台、ミキサ車ＡＭの側方に１台のように複数箇所に設けることができ、どの方向からも納入先情報、性能情報等を確認することができる。また表示の有無ついても変形が可能であり、表示装置８に所定のスイッチを設けて、スイッチをＯＮしたときだけディスプレイ９にデータを表示出来るようにしてもよい。そうすると建設現場においてのみディスプレイ９にデータを表示させることができる。またディスプレイ９に表示する内容についても変形が可能であり、納入先情報だけを表示するようにしてもよいし、上で説明した以外の他の情報も表示してもよい。ディスプレイ９の表示スペースが小さく全ての情報を同時に表示できないときには、所定の周期で表示内容が切り換えられるようにしてもよいし、ディスプレイ９の右側から左側に向かって文字が流れるようにしてもよい。
【符号の説明】
【００１９】
ＡＴ      ミキサ車                  Ａ      自動車
１      ドラム                      ３      ホッパ
５      キャビン                    ６      運転席
８      表示装置                    ９      ディスプレイ
１３      制御部                    １４      入力部
２１      施工会社社名              ２２      工事名
２４      コンクリートの性能情報    ２５      バッチャープラント名
【図１】
2012196978.tif 000003
【図２】
2012196978.tif 000004
【図３】
2012196978.tif 000005
【手続補正書】
【提出日】平成23年6月8日(2011.6.8)
【手続補正１】
【補正対象書類名】特許請求の範囲
【補正対象項目名】請求項１
【補正方法】変更
【補正の内容】
【請求項１】
表示装置が設けられ、該表示装置には、コンクリートを打設する打設現場に関する納入先情報が表示されて、車外の前方から視認できるようになっていることを特徴とするミキサ車。
【手続補正２】
【補正対象書類名】明細書
【補正対象項目名】０００９
【補正方法】変更
【補正の内容】
【０００９】
本発明は上記目的を達成するために、表示装置を備えたミキサ車として構成する。この表示装置には、少なくともコンクリートを打設する打設現場に関する納入先情報が表示されるようにし、ミキサ車の前方から視認できるようにする。この納入先情報には、施工会社の会社名と、打設現場の工事名とが含まれる。また表示装置には、ミキサ車のドラムに積載されているコンクリートの性能に関する性能情報や、コンクリートを製造したバッチャープラントの工場名も表示されるようにする。
【手続補正３】
【補正対象書類名】明細書
【補正対象項目名】００１０
【補正方法】変更
【補正の内容】
【００１０】
すなわち、請求項１に記載の発明は前記目的を達成するために、表示装置が設けられ、該表示装置には、コンクリートを打設する打設現場に関する納入先情報が表示されて、車外の前方から視認できるようになっていることを特徴とするミキサ車として構成される。
請求項２に記載の発明は、請求項１に記載のミキサ車において、前記納入先情報は、施工会社の会社名と、打設現場の工事名とを含むように構成される。
請求項３に記載の発明は、請求項１または２に記載のミキサ車において、前記表示装置には、前記ミキサ車のドラムに積載されているコンクリートの性能に関する性能情報も表示されるように構成される。
請求項４に記載の発明は、請求項１〜３のいずれかの項に記載のミキサ車において、前記表示装置には、コンクリートを製造したバッチャープラントの工場名も表示されるように構成される。
請求項５に記載の発明は、請求項１〜４のいずれかの項に記載のミキサ車において、前記ミキサ車は、座席数が運転席の１座席のみからなり、前記表示装置はキャビン内の前記運転席の隣に設けられるように構成される。
【手続補正４】
【補正対象書類名】明細書
【補正対象項目名】００１１
【補正方法】変更
【補正の内容】
【００１１】
以上のように本発明によると、ミキサ車には、表示装置が設けられ、該表示装置には、コンクリートを打設する打設現場に関する納入先情報が表示されて、車外の前方から視認できるようになっているので、建設現場において、ミキサ車を誘導する誘導員やコンクリートを受け入れる受入担当者が、積載されているコンクリートの荷下ろし先を容易に確認することができる。そしてこの確認においては、格別に伝票を取り出して提示する必要がないし、表示装置を一瞥するだけで簡単に確認できるので、忙しい時においても誘導員や受入担当者の負担にはならない。従って誘導員は誤ることなくミキサ車を誘導でき、受入担当者も誤ることなくコンクリートを受け入れることができる。これによってコンクリートの誤納を確実に防止することができる。他の発明によると、納入先情報は、施工会社の会社名と、打設現場の工事名とを含むので、施工会社すなわち建設会社が複数の打設現場を担当していても、打設現場を混同することがない。また他の発明によると、表示装置には、ミキサ車のドラムに積載されているコンクリートの性能に関する性能情報も表示されるので、さらに確実に誤納を防止でき安全性が高い。また他の発明によると、ミキサ車は、座席数が運転席の１座席のみからなり、表示装置はキャビン内の運転席の隣に設けられているので、表示装置は運転の妨げにならないし、車外に露出していないので劣化し難い。さらには運転手自身も、積載しているコンクリートの情報を確認することができるので安全である。
【手続補正書】
【提出日】平成23年8月29日(2011.8.29)
【手続補正１】
【補正対象書類名】特許請求の範囲
【補正対象項目名】請求項１
【補正方法】変更
【補正の内容】
【請求項１】
表示装置を備え、該表示装置には、コンクリートを打設する打設現場に関する納入先情報が表示されて、車外の前方から視認できるようになっていることを特徴とするミキサ車。
【手続補正２】
【補正対象書類名】明細書
【補正対象項目名】００１０
【補正方法】変更
【補正の内容】
【００１０】
すなわち、請求項１に記載の発明は前記目的を達成するために、表示装置を備え、該表示装置には、コンクリートを打設する打設現場に関する納入先情報が表示されて、車外の前方から視認できるようになっていることを特徴とするミキサ車として構成される。
請求項２に記載の発明は、請求項１に記載のミキサ車において、前記納入先情報は、施工会社の会社名と、打設現場の工事名とを含むように構成される。
請求項３に記載の発明は、請求項１または２に記載のミキサ車において、前記表示装置には、前記ミキサ車のドラムに積載されているコンクリートの性能に関する性能情報も表示されるように構成される。
請求項４に記載の発明は、請求項１〜３のいずれかの項に記載のミキサ車において、前記表示装置には、コンクリートを製造したバッチャープラントの工場名も表示されるように構成される。
請求項５に記載の発明は、請求項１〜４のいずれかの項に記載のミキサ車において、前記ミキサ車は、座席数が運転席の１座席のみからなり、前記表示装置はキャビン内の前記運転席の隣に設けられるように構成される。
【手続補正書】
【提出日】平成23年10月5日(2011.10.5)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
表示装置を備え、該表示装置には、コンクリートを打設する打設現場に関する納入先情報が表示されて、車外の前方から視認できるようになっていることを特徴とするミキサ車。
【請求項２】
請求項１に記載のミキサ車において、前記納入先情報は、施工会社の会社名と、打設現場の工事名とを含むことを特徴とするミキサ車。
【請求項３】
請求項１または２に記載のミキサ車において、前記表示装置には、前記ミキサ車のドラムに積載されているコンクリートの性能に関する性能情報も表示されるようになっていることを特徴とするミキサ車。
【請求項４】
請求項１〜３のいずれかの項に記載のミキサ車において、前記表示装置には、コンクリートを製造したバッチャープラントの工場名も表示されるようになっていることを特徴とするミキサ車。
【請求項５】
請求項１〜４のいずれかの項に記載のミキサ車において、前記ミキサ車は、座席数が運転席の１座席のみからなり、前記表示装置はキャビン内の前記運転席の隣に設けられていることを特徴とするミキサ車。